(57)【要約】【課題】  快適性を妨げることなく入浴の安全性を高めることにある。【解決手段】  入浴お知らせ機能の入または切が設定されるデータ記憶部（９２）を含み、浴槽（２６）の水位を監視して入浴者の入浴中を検出する機能を有する制御部（４０）を備え、前記データ記憶部に前記入浴お知らせ機能の入が設定されるとともに前記制御部が前記入浴者の入浴中を検出したときに、前記制御部は入浴中を表す入浴中データを送信する。【選択図】        図１４
2020106266.tif 000002
【特許請求の範囲】
【請求項１】
入浴お知らせ機能の入または切が設定されるデータ記憶部を含み、浴槽の水位を監視して入浴者の入浴中を検出する機能を有する制御部を備え、
前記データ記憶部に前記入浴お知らせ機能の入が設定されるとともに前記制御部が前記入浴者の入浴中を検出したときに、前記制御部は入浴中を表す入浴中データを送信することを特徴とする電子装置。
【請求項２】
前記入浴お知らせ機能を入または切にする信号を前記制御部に送信するリモコンをさらに備えることを特徴とする請求項１に記載の電子装置。
【請求項３】
前記入浴お知らせ機能の切が設定されるときに、前記入浴お知らせ機能が禁止されることを特徴とする請求項１または請求項２に記載の電子装置。
【請求項４】
前記入浴お知らせ機能は、初期設定において切が設定されていることを特徴とする請求項１ないし請求項３のいずれか１項に記載の電子装置。
【請求項５】
前記制御部はさらに入浴タイマーを含み、
前記データ記憶部に前記入浴お知らせ機能の入が設定されるとともに前記制御部が前記入浴者の入浴中を検出したときに、前記制御部は、前記入浴タイマーのカウントを開始することを特徴とする請求項１ないし請求項４のいずれか１項に記載の電子装置。
【請求項６】
前記浴槽の水位を検出する水位センサをさらに備えることを特徴とする請求項１ないし請求項５のいずれか１項に記載の電子装置。
【請求項７】
コンピュータに、
入浴お知らせ機能の入または切をデータ記憶部に設定し、浴槽の水位を監視して入浴者の入浴中を検出し、
前記データ記憶部に前記入浴お知らせ機能の入が設定されるとともに前記入浴者の入浴中を検出したときに、入浴中を表す入浴中データを送信する、
処理を実行させるための入浴管理プログラム。
【請求項８】
コンピュータに、
リモコンから送信される前記入浴お知らせ機能を入または切にする信号に基づき、前記入浴お知らせ機能を入または切に設定する
処理をさらに実行させるための請求項７に記載の入浴管理プログラム。
【請求項９】
入浴お知らせ機能の入または切が設定されるデータ記憶部を含み、浴槽の水位を監視して入浴者の入浴中を検出する機能を有する制御部を備え、
前記データ記憶部に前記入浴お知らせ機能の入が設定されるとともに前記制御部が前記入浴者の入浴中を検出したときに、前記制御部は入浴中を表す入浴中データを送信することを特徴とする給湯システム。
【請求項１０】
前記入浴お知らせ機能を入または切にする信号を前記制御部に送信するリモコンをさらに備えることを特徴とする請求項９に記載の給湯システム。
【発明の詳細な説明】
【技術分野】
【０００１】
本発明はたとえば、入浴者の入浴時間や入浴状態などを含む管理技術に関する。
【背景技術】
【０００２】
入浴は入浴者にとり外部と遮断されるプライベートな時間であり、入浴者がリラックス状態になる時間である。このため、人によって入浴時間が異なるとはいえ、限度を超える長時間の入浴は好ましくない。このため、適正な入浴を実現する種々の工夫がなされている。
【０００３】
人的防護に関し、溺水事故などを回避するため、異常検知に基づき、浴槽から強制排水をすることが知られている（たとえば、特許文献１）。入浴時間が上限時間を超えたとき、入浴者に告知することが知られている（たとえば、特許文献２）。人的検知に基づき、循環する浴槽水の温度の検知やその制御を行うことが知られている（たとえば、特許文献３）。入浴検知に基づき、風呂リモコンの表示変更を行うことが知られている（たとえば、特許文献４）。
【先行技術文献】
【特許文献】
【０００４】
【特許文献１】特開平７−５５２５１号公報
【特許文献２】特開２００３−１３９３８９号公報
【特許文献３】特開２０１０−２０３６６８号公報
【特許文献４】特開２０１２−１０７７６７号公報
【発明の概要】
【発明が解決しようとする課題】
【０００５】
ところで、幼児や高齢者では外部から入浴状態や入浴時間を監視し、安全性を維持することが不可欠であろう。このような外的な管理が不要と思われる健常者であっても、コンディションによって入浴時間は変動するであろう。リラックスのあまり、居眠りや過度な入浴時間となることが避けられない。また、浴槽に浸かりながらテレビや音楽を視聴するあまり、過度な入浴時間となることが避けられない。このため、入浴状態や入浴時間を管理することが入浴者の安全性だけでなく、快適な入浴や管理者の負担を軽減することが望まれる。
【０００６】
そこで、本発明の目的は、快適性を妨げることなく入浴の安全性を高めることにある。
【課題を解決するための手段】
【０００７】
上記目的を達成するため、本発明の一側面によれば、電子装置は、入浴お知らせ機能の入または切が設定されるデータ記憶部を含み、浴槽の水位を監視して入浴者の入浴中を検出する機能を有する制御部を備え、前記データ記憶部に前記入浴お知らせ機能の入が設定されるとともに前記制御部が前記入浴者の入浴中を検出したときに、前記制御部は入浴中を表す入浴中データを送信する。
【０００８】
上記電子装置は、前記入浴お知らせ機能を入または切にする信号を前記制御部に送信するリモコンをさらに備えてもよい。
【０００９】
上記電子装置において、前記入浴お知らせ機能の切が設定されるときに、前記入浴お知らせ機能が禁止されてもよい。
【００１０】
上記電子装置において、前記入浴お知らせ機能は、初期設定において切が設定されていてもよい。
【００１１】
上記電子装置において、前記制御部はさらに入浴タイマーを含んでよい。前記データ記憶部に前記入浴お知らせ機能の入が設定されるとともに前記制御部が前記入浴者の入浴中を検出したときに、前記制御部は、前記入浴タイマーのカウントを開始してもよい。
【００１２】
上記電子装置は、前記浴槽の水位を検出する水位センサをさらに備えてもよい。
【００１３】
上記目的を達成するため、本発明の一側面によれば、入浴管理プログラムは、コンピュータに、入浴お知らせ機能の入または切をデータ記憶部に設定し、浴槽の水位を監視して入浴者の入浴中を検出し、前記データ記憶部に前記入浴お知らせ機能の入が設定されるとともに前記入浴者の入浴中を検出したときに、入浴中を表す入浴中データを送信する処理を実行させる。
【００１４】
上記入浴管理プログラムは、コンピュータに、リモコンから送信される前記入浴お知らせ機能を入または切にする信号に基づき、前記入浴お知らせ機能を入または切に設定する処理をさらに実行させてもよい。
【００１５】
上記目的を達成するため、本発明の一側面によれば、給湯システムは、入浴お知らせ機能の入または切が設定されるデータ記憶部を含み、浴槽の水位を監視して入浴者の入浴中を検出する機能を有する制御部を備え、前記データ記憶部に前記入浴お知らせ機能の入が設定されるとともに前記制御部が前記入浴者の入浴中を検出したときに、前記制御部は入浴中を表す入浴中データを送信する。
【００１６】
上記給湯システムは、前記入浴お知らせ機能を入または切にする信号を前記制御部に送信するリモコンをさらに備えてもよい。
【発明の効果】
【００１７】
本発明によれば、次のいずれかの効果が得られる。
【００１８】
(1) 入浴お知らせ機能を入に設定すれば、入浴中を表す入浴中データの送信により入浴中であることを知らせることができ、たとえば入浴状態の管理が自動化されるので、入浴者は自己管理から解放されて快適な入浴を行うことができるとともに、入浴の安全性を高めることができる。
【００１９】
(2) 入浴お知らせ機能を切に設定すれば、入浴者が意図しない送信が防止できる。
【００２０】
(3) 自己管理による入浴者の負担が軽減され、自由度が高められる。
【図面の簡単な説明】
【００２１】
【図１】第１の実施の形態に係る電子装置の一例を示す図である。
【図２】浴槽の水位の時間変化の一例を示す図である。
【図３】入浴管理の処理手順の一例を示すフローチャートである。
【図４】第２の実施の形態に係る電子装置の一例を示す図である。
【図５】入浴音の時間変化の一例を示す図である。
【図６】入浴管理の処理手順の一例を示すフローチャートである。
【図７】第３の実施の形態に係る電子装置の一例を示す図である。
【図８】入浴管理の処理手順の一例を示すフローチャートである。
【図９】入浴管理の処理手順の変形例を示すフローチャートである。
【図１０】入浴管理の処理手順の変形例を示すフローチャートである。
【図１１】第４の実施の形態に係る電子装置の一例を示す図である。
【図１２】表示および報知の変形例を示す図である。
【図１３】実施例に係る給湯追いだきシステムの一例を示す図である。
【図１４】制御系統の一例を示す図である。
【図１５】浴室リモコンの一例を示す図である。
【図１６】台所リモコンの一例を示す図である。
【図１７】リモコン送信データの一例を示す図である。
【図１８】制御部送信データの一例を示す図である。
【図１９】音量設定表の一例を示す図である。
【図２０】メインメニュー画面の一例を示す図である。
【図２１】メッセージ画面の一例を示す図である。
【図２２】入浴お知らせタイマー設定画面の一例を示す図である。
【図２３】入浴中表示画面の一例を示す図である。
【図２４】入浴中表示とふろ動作中表示の切り替えの一例を示す図である。
【図２５】入浴時間表示画面の一例を示す図である。
【図２６】入浴管理の一例を示すシーケンス図である。
【図２７】入浴管理処理の処理手順の概要の一例を示すフローチャートである。
【図２８】入浴表示処理の処理手順の一例を示すフローチャートである。
【図２９】入浴表示処理の処理手順の一例を示すフローチャートである。
【図３０】設定時間経過告知処理の処理手順の一例を示すフローチャートである。
【図３１】入浴表示の処理手順の一例を示すフローチャートである。
【図３２】入浴時間経過の告知の処理手順の一例を示すフローチャートである。
【図３３】お知らせ機能設定画面の一例を示す図である。
【図３４】入浴お知らせタイマー設定画面の一例を示す図である。
【図３５】入浴中表示画面の一例を示す図である。
【発明を実施するための形態】
【００２２】
〔第１の実施の形態〕
【００２３】
図１は、第１の実施の形態に係る電子装置の一例を示している。
【００２４】
この実施の形態の電子装置２は、入浴の管理に浴槽の水位検出を利用している。この場合、入浴は、入浴者による浴槽内の湯の水位が上昇している状態である。この電子装置２はたとえば、給湯器の制御装置または給湯器のリモートコントロール装置（以下「リモコン」という）のいずれでもよく、給湯器の制御装置およびリモコンの双方であってもよい。この電子装置２には、プロセッサ４が備えられる。
【００２５】
プロセッサ４は、入浴管理プログラムの実行により、入浴者の入浴を管理する。プロセッサ４は、入浴判定手段、入浴時間判定手段および出力手段として機能する。
【００２６】
入浴判定は水位センサ６から浴槽の水位検出出力を取り込むことにより、入浴者の入浴開始を判定する。
【００２７】
入浴時間判定は、入浴者の継続した入浴時間が基準時間に到達したかを判定する。この継続した入浴時間はたとえば、入浴開始から浴槽内の湯に浸っている間の全時間により表される。継続時間の計測には、プロセッサ４に接続されたタイマー１２が用いられる。このタイマー１２は、継続した入浴時間を計測する手段の一例である。入浴者の継続した入浴時間が基準時間に到達したことを表す情報は、入浴者の入浴状態を表す情報の一例であるので、この入浴時間判定は、入浴者の入浴状態を判定する状態判定手段の一例である。この入浴時間判定は、浴槽の水位検出により入浴中か否かを判定し、継続した入浴時間を計測するか、計測を終了させるかを決定する。
【００２８】
出力手段は、入浴時間判定の判定結果に基づき、告知情報を出力する。告知情報はたとえば、入浴者の継続した入浴時間が基準時間に到達したことを表す。この告知情報は、プロセッサ４に接続されたディスプレイなどの表示部８に表示され、またはスピーカなどの音声出力手段を含む報知部１０によりメロディ音またはガイダンス音声として報知される。これらの情報は入浴中の入浴者に伝えてもよく、浴室から離れた場所の入浴者以外の者に伝えてもよい。
【００２９】
水位センサ６にはたとえば圧力センサを利用すればよい。この圧力センサによれば、浴槽の水圧の検出により浴槽の水位が検出される。この検出水位は、水位検出情報としてプロセッサ４に取り込まれる。この水位センサ６はたとえば、浴槽、浴槽の給湯配管または、浴槽水を循環させる循環配管に接続される。
【００３０】
図２は浴槽の水位の時間変化の一例を示している。
【００３１】
時刻ｔ１１に入浴者が浴槽に入るとすれば、水位変化ΔＷＬ１が発生する。つまり、入浴者が入浴を開始すると、大きな水位上昇が発生する。入浴後、入浴者が静状態になるとすれば、この時刻ｔ１２で入浴時の水位変動が終息する。入浴者は時刻ｔ１３まで浴槽の中で静状態にあるとすれば、入浴者の静時間Ｔｓでは水位の変化が所定のレベル以下になる。一方、入浴者が時刻ｔ１３から時刻ｔ１４において動状態にあるとすれば、入浴者の動時間Ｔｍでは水位変化が所定のレベルを超えている。時刻ｔ１４に入浴者が浴槽から出るとすれば、水位変化ΔＷＬ２が発生する。つまり、入浴者が入浴を終了すると、大きな水位減少が発生する。
【００３２】
プロセッサ４は、水位を監視し、水位変化ΔＷＬ１を検知すれば入浴が開始されたと判定し、水位変化ΔＷＬ２を検知すれば入浴が終了したと判定すれば、入浴の開始と終了を判定できる。
【００３３】
図３は入浴管理の処理手順を示している。この処理手順は、本発明の入浴管理プログラムの一例である。
【００３４】
図３に示す処理手順では、水位検出情報を取得し（Ｓ１１）、入浴中かを判定し（Ｓ１２）、入浴を開始したかまたは入浴状態が続いていれば（Ｓ１２のＹＥＳ）、継続した入浴時間を計測し（Ｓ１３）、継続した入浴時間≧基準時間かを判定する（Ｓ１４）。
【００３５】
継続した入浴時間≧基準時間であれば、（Ｓ１４のＹＥＳ）。告知情報を出力し（Ｓ１５）、Ｓ１１に戻る。また、継続した入浴時間＜基準時間であれば、（Ｓ１４のＮＯ）、Ｓ１１に戻る。
【００３６】
Ｓ１２で入浴が終了したかまたは入浴状態でなければ（Ｓ１２のＮＯ）、入浴時間の計測を終了し（Ｓ１６）、Ｓ１１に戻る。このＳ１１からＳ１６は繰り返し処理され、入浴を開始すると入浴が終了するまで継続した入浴時間が計測される。
【００３７】
この処理手順によれば、入浴開始後、継続した入浴時間が基準時間以上になれば、告知情報が出力される。
【００３８】
＜第１の実施の形態の作用および効果＞
【００３９】
以上説明した実施の形態によれば、次のような作用や効果が得られる。
【００４０】
入浴時間が自動的に管理されるので、入浴者は入浴時間などの自己管理から解放され、快適な入浴を行うことができ、入浴の自由度が高められる。
【００４１】
告知情報が浴室内に出力されれば入浴者に対する入浴時間のお知らせ（アラート）となり、入浴者に浴槽から出ることを促すことができる。また、台所などの浴室外に告知することにより、入浴時間が出力されれば、入浴者以外の者などに対する告知（お知らせ）となり、入浴異常など、入浴の安全性を確認する契機とすることができる。
【００４２】
給湯器の制御装置、給湯器のリモコン装置、または給湯器の制御装置およびリモコンの双方を用いれば、給湯器の水位センサの検出出力により入浴管理を行うことができる。
【００４３】
入浴時間が基準時間を超える場合には入浴者に告知するので、長時間入浴を防止できる。また、入浴者が居眠りをしても、基準時間を超える入浴時間の経過でアラートが発せられるので、入浴者を居眠りから目覚めさせることができ、入浴の安全性が高められる。
【００４４】
＜第１の実施の形態の変形例＞
【００４５】
(1) 水位検出により入浴判定を行う例を示したが、赤外線センサなどの人体センサにより入浴者を検出し、人体検出により入浴判定を行うようにしてもよく、マイクロフォンにより入浴音を検出し、入浴音により入浴判定を行うようにしてもよい。また、複数の検出手段を用いて複数の情報により入浴判定を行うようにしてもよい。複数の検出手段を用いれば、判定の精度を高めることができる。
【００４６】
(2) 入浴中においては、入浴者が動いている動状態であるか、または静かにしている静状態であるかを入浴状態として表示部８に表示するようにしてもよい。この表示は、水位センサの検出結果を用いて、プロセッサ４により既述の静時間Ｔｓおよび動時間Ｔｍを判定すればよい。
【００４７】
(3) 入浴者の継続した入浴時間は入浴開始から浴槽内の湯に浸っている間の全時間に限らずたとえば、入浴開始からの継続した時間、入浴開始の後の継続した時間、継続した時間の回数などであってもよい。継続した時間はたとえば、入浴者の静状態の継続時間または動状態の継続時間により表される。つまり、水位センサ６の検出結果を用いて、プロセッサ４により入浴者の動状態または静状態を判別し、入浴者の静状態の継続時間または動状態の継続時間を基準時間と比較してもよい。入浴者が静かにしている時間が長い場合に告知情報を発生すれば、告知情報を入浴者の長時間の考え事や居眠りに対するアラートとして機能させることができる。
【００４８】
〔第２の実施の形態〕
【００４９】
第２の実施の形態では、水位センサ６に代えてマイクロフォン１４が用いられている。この実施の形態では入浴者が発する音声、水音、浴槽音などを入浴音とし、この入浴音をマイクロフォン１４で拾う。このマイクロフォン１４に検出された入浴音で入浴状態を判定する。図４は第２の実施の形態に係る電子装置の一例を示している。図４において、図１と同一部分には同一符号を付してある。
【００５０】
この実施の形態では、プロセッサ４は、検出された入浴音により、入浴者の入浴判定および入浴状態を判定し、その判定結果を出力する。つまり、プロセッサ４はこれらの判定手段、入浴および入浴状態の出力手段として機能する。
【００５１】
入浴判定は、入浴音により、入浴者の入浴開始を判定する。入浴音の取得には、プロセッサ４に接続されるマイクロフォン１４が用いられる。
【００５２】
状態判定は、入浴開始の判定後、入浴音に基づき、入浴者の入浴状態を判定する。この入浴者の入浴状態にはたとえば、既述の動状態および静状態が含まれる。
【００５３】
出力手段は、状態判定の判定結果に基づき入浴状態を表す告知情報を出力する。この告知情報にはたとえば、動状態を表す動状態情報および静状態を表す静状態情報が用いられる。この告知情報は、既述の表示部８に表示され、または既述の報知部１０により報知される。これらの告知情報は入浴中の入浴者に伝えてもよく、浴室から離れた場所の入浴者以外の者に伝えてもよい。
【００５４】
マイクロフォン１４は音声入力手段の一例であり、入浴音を拾う。この入浴音は入浴音情報としてプロセッサ４に取り込まれる。
【００５５】
図５は入浴音の時間変化の一例を示している。
【００５６】
時刻ｔ２１に入浴者が浴槽に入るとすれば、音量変化ΔＶ１が発生する。入浴後、入浴者が静状態になるとすれば、時刻ｔ２２で入浴音が小さく静かな状態になる。入浴者は時刻ｔ２３まで浴槽の中で静状態にあるとすれば、入浴者の静時間Ｔｓでは音声レベルが所定のレベル以下になる。一方、入浴者が時刻ｔ２３から時刻ｔ２４において動状態にあるとすれば、入浴者の動時間Ｔｍでは音声レベルが所定のレベルを超えている。時刻ｔ２４に入浴者が浴槽から出るとすれば、音量変化ΔＶ２が発生する。
【００５７】
プロセッサ４は、入浴音を監視し、非入浴状態において音量変化ΔＶ１を検知すれば入浴が開始されたと判定し、入浴状態において音量変化ΔＶ２を検知すれば入浴が終了したと判定することにより、入浴の開始と終了を判定できる。また、入浴中においてプロセッサ４は、所定のレベル以下の入浴音を検知すれば静状態であると判定し、入浴中に所定のレベルを超える入浴音を検知すれば動状態であると判定すれば、入浴者が動状態か静状態かを判定できる。
【００５８】
図６は入浴管理の処理手順を示している。この処理手順は、本発明の入浴管理プログラムの一例である。
【００５９】
この処理手順では、入浴音情報を取得し（Ｓ２１）、入浴中かを判定し（Ｓ２２）、入浴を開始するかまたは入浴状態が続いていれば（Ｓ２２のＹＥＳ）、入浴者の動状態または静状態を判定する（Ｓ２３）。動状態であれば（Ｓ２３の動状態）、動状態情報を出力して（Ｓ２４）、Ｓ２１に戻る。静状態であれば（Ｓ２３の静状態）、静状態情報を出力して（Ｓ２５）、Ｓ２１に戻る。Ｓ２１ないしＳ２５は繰り返され、状態が変われば、告知情報の出力が変更される。
【００６０】
この処理手順によれば、入浴中に告知情報が出力される。この出力が表示または報知され、入浴状態の確認が可能になる。
【００６１】
＜第２の実施の形態の作用および効果＞
【００６２】
以上説明した実施の形態によれば、次のような作用や効果が得られる。
【００６３】
入浴状態が自動的に管理されるので、入浴者は入浴状態などの自己管理から解放され、快適な入浴を行うことができ、入浴の自由度が高められる。
【００６４】
入浴状態が浴室内に出力されれば入浴者に入浴状態を告知することができ、入浴者に浴槽から出ることを促すことができる。また、台所などの浴室外に告知することにより、入浴状態が出力されれば、入浴者以外の者などに対する告知（お知らせ）となり、入浴異常など、入浴の安全性を確認する契機とすることができる。
【００６５】
給湯器のリモコン装置、または給湯器の制御装置およびリモコンの双方を用いれば、リモコン装置を浴室内に配置することにより、リモコン装置のマイクロフォンを用いて入浴管理を行うことができる。
【００６６】
長時間入浴による入浴時の事故を回避することができる。
【００６７】
＜第２の実施の形態の変形例＞
【００６８】
マイクロフォン１４が拾う入浴音により入浴状態を判定したが、水位センサ６により浴槽の水位を検出し、入浴状態を判定するようにしてもよく、人体センサを用いて入浴状態を判定するようにしてもよく、マイクロフォン１４の他に水位センサ６や人体センサを用いて入浴状態を判定するようにしてもよい。
【００６９】
この実施の形態では告知情報として動状態情報または静状態情報を出力したが、入浴判定に基づき入浴者の入浴開始や入浴終了を告知情報として出力するようにしてもよい。入浴者または入浴者以外の者が必要とする情報を提供することができる。
【００７０】
〔第３の実施の形態〕
【００７１】
第３の実施の形態では、入浴者の継続した入浴時間が基準時間に到達したかをマイクロフォン１４に検出される入浴音を用いて判定する。図７は第３の実施の形態に係る電子装置の一例を示している。図７において、図１または図４と同一部分には同一符号を付してある。
【００７２】
この実施の形態では、水位検出に代えて入浴音により、既述の入浴判定を行う他は第１の実施の形態と同様である。プロセッサ４は、図５に示す入浴音を監視し、非入浴状態において音量変化ΔＶ１を検知すれば入浴が開始されたと判定し、入浴状態において音量変化ΔＶ２を検知すれば入浴が終了したと判定すれば、入浴の開始と終了を判定できる。
【００７３】
図８は入浴管理の処理手順を示している。
【００７４】
この処理手順は、水位検出情報の取得（図３のＳ１１）に代えて、入浴音情報を取得し（Ｓ３１）、入浴中かを判定する（Ｓ３２）。Ｓ３２ないしＳ３６は第１の実施の形態のＳ１２ないしＳ１６（図３）と同様であり、その説明を省略する。
【００７５】
＜第３の実施の形態の作用および効果＞
【００７６】
第１の実施の形態と同様の作用および効果が得られる。
【００７７】
給湯器のリモコン装置、または給湯器の制御装置およびリモコンの双方を用いれば、リモコン装置のマイクロフォンを用いて入浴管理を行うことができる。
【００７８】
＜複数の告知情報出力を行う変形例＞
【００７９】
第３の実施の形態では入浴者の継続した入浴時間が基準時間に到達したことを表す告知情報を出力する例を示したが、この告知情報の出力に加え、第２の実施の形態で既述した入浴状態を表す告知情報を出力するようにしてもよい。
【００８０】
この変形例の処理手順では、図９に示すように、入浴音情報を取得し（Ｓ４１）、入浴中であれば、（Ｓ４２のＹＥＳ）、動状態または静状態の判定（Ｓ４３）と、動状態情報の出力（Ｓ４４）または静状態情報の出力（Ｓ４５）を行い、Ｓ４６に移行すればよい。Ｓ４３ないしＳ４５は、Ｓ２３ないしＳ２５（図６）と同様であり、Ｓ４６ないしＳ４９は、Ｓ３３ないしＳ３６（図８）と同様でありその説明を省略する。
【００８１】
斯かる変形例によれば、継続した入浴時間が基準時間に到達したことを表す告知情報の出力と、動状態情報または静状態情報の出力の両方を行うことができ、第１の実施の形態および第２の実施の形態で既述した作用および効果を得ることができる。さらに、既述の入浴判定手段または状態判定手段のいずれか一方または双方の判定結果を受け、入浴者の入浴開始または入浴の終了を表す告知情報を行うようにしてもよい。これらの告知情報を出力手段により入浴者または入浴者以外の者に告知することで、入浴者または入浴者以外の者は、継続した入浴時間が基準時間に到達したことや、入浴開始、入浴状態または入浴終了のいずれか一つまたは二以上を認知することができる。
【００８２】
＜継続した入浴時間の変形例＞
【００８３】
この変形例は、入浴開始の後、静状態の継続した時間を入浴時間とし、入浴者が動状態であれば、入浴時間の計測を停止させる例である。つまり、入浴者が動状態であれば、入浴者の安全性は確保されているといえる。
【００８４】
この変形例では、図１０に示すように、入浴音情報を取得し（Ｓ５１）、入浴中であれば（Ｓ５２のＹＥＳ）、動状態または静状態の判定（Ｓ５３）と、動状態情報の出力（Ｓ５４）または静状態情報の出力（Ｓ５５）を行う。Ｓ５３ないしＳ５５は、Ｓ２３ないしＳ２５（図６）と同様でありその説明を省略する。動状態情報の出力（Ｓ５４）であれば、継続した入浴時間の計測を一時停止させ（Ｓ５６）、静状態情報の出力（Ｓ５５）であれば、継続した入浴時間を計測する（Ｓ５７）。斯かる処理により、継続した入浴時間として、静状態と判定されたときの時間が計測される。
【００８５】
継続した入浴時間の計測の一時停止（Ｓ５６）後、または継続した入浴時間の計測（Ｓ５７）後、継続した入浴時間≧基準時間かを判定する（Ｓ５８）。Ｓ５８ないしＳ６０は、Ｓ３４ないしＳ３６（図８）と同様でありその説明を省略する。
【００８６】
この変形例によれば、入浴者が動状態である間、タイマー１２が停止するので、入浴開始の後、静状態の継続した時間が計測され、この静状態にある時間に基づき告知情報を出力することができる。
【００８７】
動状態情報の出力および静状態情報の出力を用いれば、入浴者の静状態の継続時間または動状態の継続時間により入浴時間を管理することができる。入浴者に安全性の高い入浴を行わせることができる。
【００８８】
〔第４の実施の形態〕
【００８９】
図１１は、第４の実施の形態に係る電子装置の一例を示している。図１０において、図１、図４または図７と同一部分には同一符号を付してある。
【００９０】
この電子装置２は、既述の水位センサ６、マイクロフォン１４および人体センサ１６を備えている。プロセッサ４では、既述の水位検出、入浴音または人体検出のいずれかまたは２以上により入浴判定および状態判定が行われる。人体センサ１６は人体を検出する手段の一例であり、プロセッサ４に接続され、浴室内に配置される。この人体センサ１６にはたとえば、赤外線センサが用いられ、浴室内の温度を測定する。この測定結果は、入浴者の人体の検出の有無を表す情報であり、プロセッサ４に入力される。
【００９１】
プロセッサ４は、水位検出、入浴音および人体検出のいずれかまたは２以上を選択して入浴判定および状態判定を行えばよい。複数の情報を用いれば、判定精度を高めることができ、または判定時間を短縮することができるなどの効果が得られる。また、入浴環境に応じて水位検出、入浴音および人体検出の中から精度が高い判定が行える手段が選択され、判定に用いられてもよい。入浴の環境に合わせて判定の精度を高めることができる。その他は第１の実施の形態と同様であるのでその説明を省略する。
【００９２】
人体センサ１６により浴室内の人を監視することで、プロセッサ４は、浴室内の温度変化や人体の動きなどを判断し、入浴の開始と終了を判定できる。
【００９３】
入浴管理の処理手順は第１の実施の形態ないし第３の実施の形態と同様であるのでその説明を省略する。
【００９４】
＜第４の実施の形態の作用および効果＞
【００９５】
以上説明した実施の形態によれば、第１の実施の形態ないし第３の実施の形態と同様の作用や効果が得られるほか、水位検出、入浴音または人体検出のいずれかまたは２以上により入浴判定および状態判定を行うことで、判定精度を高めることができ、または判定時間を短縮することができる。
【００９６】
＜表示および報知の変形例＞
【００９７】
上記した実施の形態によれば、電子装置２が表示部８および報知部１０を備え、告知情報の表示または告知情報の報知を行ったが、図１２に示すようにたとえば、電子装置２が通信部１８およびアンテナ１９を備え、告知情報を無線通信によりスマートフォン２０に送信し、スマートフォン２０で表示または報知するようにしてもよい。通信部１８は無線通信を行う手段の一例であり、プロセッサ４から告知情報を受け、この告知情報を無線周波数信号に変換する。無線周波数信号は、アンテナ１９から放射される。無線通信は近距離無線通信規格たとえば、Bluetooth（ブルートゥース：登録商標）、Ｗｉ−Ｆｉ（Wireless-Fidelity）などの近距離通信でもよく、または遠距離通信などでもよく、有線通信であってもよい。
【００９８】
スマートフォン２０は本発明の電子装置の一例であり、図示しない表示部または報知部を備え、告知情報の表示または報知を行う。
【００９９】
この変形例によれば、無線により接続されたスマートフォン２０の表示部または報知部を用いて、告知情報の表示または報知を行うことができる。告知情報の表示領域または報知領域の自由度が高められる。
【実施例】
【０１００】
図１３は、実施例に係る給湯追いだきシステムの一例を示している。この給湯追いだきシステム２２は、本発明の給湯システムの一例であり、給湯暖房装置２４および浴槽２６が備えられる。この給湯暖房装置２４は、本発明の電子装置２の一例であり、給湯暖房装置２４には熱源機２８、浴室リモートコントロール装置（以下「浴室リモコン」と称する）３０および台所リモートコントロール装置（以下「台所リモコン」と称する）３２が備えられる。
【０１０１】
熱源機２８は、燃焼熱を生じさせる手段の一例である。この熱源機２８には、給湯路３４、給水路３６および暖房循環路３８が備えられ、制御部４０によりバーナ、給湯および暖房循環を制御する。
【０１０２】
この制御部４０はたとえば、電装基板を含んでいる。この制御部４０には、既述の入浴判定手段、状態判定手段、入浴時間判定手段および出力手段の一例として入浴お知らせ機能が備えられる。この入浴お知らせ機能には、「入浴中お知らせ」機能と「入浴時間お知らせ」機能の２つの機能が含まれる。
【０１０３】
「入浴中お知らせ」機能は、入浴中か否かをたとえば、制御部４０に接続される台所リモコン３２に表示させ、この表示により入浴中か否かを通知する機能である。台所リモコン３２を台所に設置すれば、この表示により、台所において入浴中であるか否かが確認できる。
【０１０４】
「入浴時間お知らせ」機能は、入浴状態が基準時間を経過したことをメロディ音などの告知情報により通知する機能である。告知情報をたとえば、制御部４０に接続される浴室リモコン３０から出力すれば、入浴者に入浴時間の経過を通知することができる。
【０１０５】
給湯路３４は、温水ＨＷを供給する手段の一例である。この給湯路３４は温水供給路３４−１と浴槽循環路３４−２とを含み、温水ＨＷを浴槽２６に供給し、浴槽２６の浴槽水ＢＷを循環させる。
【０１０６】
浴槽循環路３４−２には、既述の水位センサ６、浴槽水ＢＷを循環させる循環ポンプ４２および熱交換器４４が接続される。水位センサ６を浴槽循環路３４−２に接続するので、浴槽２６への湯張り中であっても、浴槽水ＢＷの循環中であっても浴槽２６の水位を検出することができる。
【０１０７】
給水路３６は水Ｗを供給する手段の一例である。給水路３６は熱交換器４６−１、４６−２を介して、給湯路３４に接続している。熱交換器４６−１、４６−２は水Ｗに給湯バーナ４８により生じた燃焼熱を熱交換する。この熱交換により水Ｗが加熱され、給湯路３４に温水ＨＷが供給される。また、給水路３６はバイパス路５０を介して給湯路３４に接続している。バイパス水制御弁５２の開閉により、給湯路３４の温水ＨＷの温度調整が行われる。
【０１０８】
暖房循環路３８は、暖房器との間で循環路を形成し、循環水ＣＷを循環させる手段の一例である。この暖房循環路３８には、熱交換器５４−１、５４−２、暖房タンク５６、循環ポンプ５８が備えられる。熱交換器５４−２は、暖房器から戻る循環水ＣＷに暖房バーナ６０により生じた燃焼熱を熱交換する。この熱交換後の循環水ＣＷは、暖房タンク５６に供給される。暖房器から戻る循環水ＣＷは、熱交換器４４にも供給される。この熱交換器４４は、浴槽水ＢＷに暖房器から戻る循環水ＣＷの熱を熱交換する。
【０１０９】
循環ポンプ５８は暖房タンク５６の循環水ＣＷを低温暖房器側の供給口６１−１に向け供給し、熱交換器５４−１を介して高温暖房器側の供給口６１−２に向け供給する。熱交換器５４−１は、高温暖房器に供給される循環水ＣＷに暖房バーナ６０により生じた燃焼熱を熱交換する。
【０１１０】
この実施例では、熱交換器４６−１、５４−１には燃焼熱の顕熱を熱交換する一次熱交換器が用いられている。熱交換器４６−２、５４−２には、燃焼熱の潜熱を熱交換する二次熱交換器が用いられている。
【０１１１】
これら熱交換器４６−１、４６−２およびバーナ４８が供えられた燃焼室６２には給気を行う給気ファン６４が設置されている。これら熱交換器５４−１、５４−２および暖房バーナ６０が供えられた燃焼室６６には給気を行う給気ファン６８が設置されている。
【０１１２】
給湯路３４には温度センサ７０−１、７０−２、７０−３が備えられ、給水路３６には温度センサ７０−４が備えられ、暖房循環路３８には温度センサ７０−５、７０−６が備えられる。これらの温度センサ７０−１、７０−２、７０−３、７０−４、７０−５、７０−６により水温の検出が行われる。
【０１１３】
給湯路３４には水量センサ７２−１が備えられ、給水路３６には水量センサ７２−２が備えられる。これらの水量センサ７２−１、７２−２により水量の検出が行われる。
【０１１４】
図１４は、給湯追いだきシステム２２の制御系統の一例を示している。図１４において、図１３と同一部分には同一符号を付してある。この制御系統７４にはプロセッサ７６、メモリ７８、入浴タイマー８０、スヌーズタイマー８２、入出力部（Ｉ／Ｏ）８４、および通信インタフェース８６が含まれ、これらはバス８８によって接続され、連係されている。
【０１１５】
プロセッサ７６は、記憶手段の一例であるメモリにあるＯＳ（Operating system）や各種プログラムを実行し、情報処理を行う。この情報処理には、水位監視や既述の入浴お知らせ機能により実行される処理が含まれる。
【０１１６】
水位監視では、水位のサンプリングが行われる。水位監視にはサンプリングにより得た取り込み水位の平均データが使用され、たとえば、０．５〔秒〕毎に取り込まれた水位情報の５〔秒〕の平均データを使用することができる。
【０１１７】
メモリ７８には一例としてプログラム記憶部９０、データ記憶部９２およびＲＡＭ（Random-Access Memory）９４が含まれる。プログラム記憶部９０には、ＯＳや各種プログラムが格納されており、このプログラムには本発明の入浴管理プログラムが含まれる。データ記憶部９２にはプログラムを実行するための各種データや、設定値およびしきい値が格納される。データ記憶部９２にはＥＥＰＲＯＭ（Electrically Erasable Programmable Read-Only Memory）設定が備えられ、既述の入浴お知らせ機能の設定に用いられる。これらプログラム記憶部９０およびデータ記憶部９２は、不揮発性の記録媒体を用いれば良い。ＲＡＭ９４は情報処理のワークエリアを構成し、処理途上の各種データが一時的に格納される。
【０１１８】
入浴タイマー８０は、継続した入浴時間を計測し、スヌーズタイマー８２は、スヌーズを行う時間間隔を計測する。スヌーズでは、一度報知を止めても一定時間経過後に再度報知が行われる。
【０１１９】
Ｉ／Ｏ８４には水位センサ６、循環ポンプ４２、５８、給気ファン６４、６８、温度センサ７０−１、７０−２、７０−３、７０−４、７０−５、７０−６、水量センサ７２−１、７２−２などのセンサを含む機能部品が接続されている。プロセッサ７６には、通信インタフェース８６が接続されている。
【０１２０】
通信インタフェース８６には、通信線９６により浴室リモコン３０、台所リモコン３２が接続されている。
【０１２１】
図１５は浴室リモコンの一例を示している。図１５に示す浴室リモコンでは、操作部９８に配置されるカバー９７を開けた状態を示している。
【０１２２】
浴室リモコン３０には、既述の表示部８および報知部１０が備えられるほか、操作部９８が備えられる。
【０１２３】
操作部９８は、給湯暖房装置２４を操作する手段の一例である。この操作部９８には、浴室運転を入または切にする運転キー１００、ふろ自動キー１０２、追いだきキー１０４、通話（呼び出し）キー１０６、表示部８にメニュー画面を表示させるメニューキー１０８、給湯温度を上下させる上下キー１１０、ふろ水位を上下させる上下キー１１２、ふろ温度を上下させる上下キー１１４および決定キー１１６、表示を戻すのに用いられるもどるキー１２２などのスイッチが含まれる。上下キー１１０、１１２、１１４には上キーと下キーが含まれる。
【０１２４】
図１６は台所リモコンの一例を示している。この台所リモコン３２では、既述のメニューキー、給湯温度を上下させる上下キー、ふろ水位を上下させる上下キー、ふろ温度を上下させる上下キー、決定キー、およびもどるキーの前面部にカバー１２４が取り付けられている。
【０１２５】
台所リモコン３２には、浴室リモコンと同様に表示部８、報知部１０および操作部９８が備えられる。この操作部９８には、浴室リモコンと同様に運転キー１００、ふろ自動キー１０２、追いだきキー１０４、通話（呼び出し）キー１０６、メニューキー１０８、給湯温度を上下させる上下キー１１０、ふろ水位を上下させる上下キー１１２、ふろ温度を上下させる上下キー１１４、決定キー１１６およびもどるキー１２２などのスイッチが含まれる。
【０１２６】
リモコン３０、３２は、入浴お知らせ機能に用いられるほか、熱源機２８の操作や熱源機２８の状態表示に用いられる。リモコン３０、３２には、表示部８および報知部１０が備えられ、入浴中か否かの表示または基準時間の経過の報知が行われる。
【０１２７】
＜リモコンの送信データ＞
【０１２８】
図１７はリモコン送信データの一例を示している。このリモコン送信データ１２６は浴室リモコン３０または台所リモコン３２から制御部４０に一度に送信されるデータを示している。
【０１２９】
この送信データ１２６はたとえば、設定データの送信に用いられる。この送信データ１２６では、各ビットにデータが格納される。送信データ１２６には、「入浴お知らせ入／切」データ１２８、「浴室リモコン操作あり」データ１３０、および「タイマー設定」データ１３２が含まれる。
【０１３０】
「入浴お知らせ入／切」データ１２８はたとえば、「１」または「０」により表され、「１」であれば入浴お知らせの「入」を表し、「０」であれば、入浴お知らせの「切」を表す。
【０１３１】
「浴室リモコン操作あり」データ１３０はたとえば、「１」または「０」により表され、「１」であれば浴室リモコン３０が操作されたことを表し、「０」は浴室リモコン３０が操作されていないことを表す。
【０１３２】
「タイマー設定」データ１３２は、入浴お知らせタイマーの設定時間を表す。この「タイマー設定」データ１３２はたとえば、５〜１２０〔分〕の範囲で５分単位の時間設定が可能である。この入浴お知らせタイマーの設定時間は既述の基準時間の一例である。
【０１３３】
＜制御部の送信データ＞
【０１３４】
図１８は制御部送信データの一例を示している。これらの制御部送信データ１３４、１３８は、熱源機２８の制御部４０から一度に送信するデータを示している。これらの制御部送信データ１３４、１３８では、各ビットにデータが格納される。
【０１３５】
図１８のＡに示す制御部送信データ１３４はたとえば、動作データの送信に用いられ、台所リモコン３２に送信される。この送信データ１３４には、「運転」、「自動」、「保温」などの動作データとともに「入浴中」データ１３６が格納されている。「入浴中」データ１３６はたとえば、「１」であれば入浴検出中を表す。
【０１３６】
図１８のＢに示す制御部送信データ１３８はたとえば、温冷浴などの動作共通データの送信に用いられ、浴室リモコン３０および台所リモコン３２の両方に送信される。この制御部送信データ１３８には、動作共通データとともに、既述の「入浴中」データ１３６が格納され、さらに、「ＦＣ（Furo controller）お知らせ」データ１４０、「ＭＣ（Main controller）お知らせ」データ１４２および「お知らせ初回」データ１４４が格納されている。
【０１３７】
「ＦＣお知らせ」データ１４０はたとえば、「１」または「０」により表され、「１」であれば浴室リモコン３０側でのお知らせの出力を表す。「ＭＣお知らせ」データ１４２はたとえば、「１」または「０」により表され、「１」であれば台所リモコン３２側でのお知らせの出力を表す。「お知らせ初回」データ１４４は、リモコン３０、３２に入浴の経過時間を表示させる信号を表す。
【０１３８】
「入浴中」データ１３６は動作データと動作共通データの双方に割り当てられ、「入浴中」データ１３６の送信が強化されている。このため、「入浴中」データ１３６の確実な送信が行われる。
【０１３９】
＜給湯暖房装置の機能＞
【０１４０】
データ１２８、１３０、１３２、１３６、１４０、１４２、１４４が用いられることで、給湯暖房装置２４では以下の機能が可能にされる。
【０１４１】
(1) 既述のお知らせ機能が設定される。
【０１４２】
(2) 「入浴お知らせ入／切」データ１２８により、入浴お知らせ機能の「入」または「切」が行える。「入浴中お知らせ」機能と「入浴時間お知らせ」機能は、両方同時に「入」または「切」に設定されればよく、いずれか一方を「入」または「切」に設定するようにしてもよい。
【０１４３】
(3) この入浴お知らせ機能は、熱源機２８の制御部４０とリモコン３０、３２の双方が入浴お知らせ機能に対応し、かつ入浴お知らせ機能が許可設定である場合に操作可能にされればよい。この入浴お知らせ機能の許可設定または禁止設定は、熱源機２８のＥＥＰＲＯＭ設定にされればよい。また、熱源機２８の制御部４０とリモコン３０、３２の一方が入浴お知らせ機能に非対応である場合、入浴お知らせ機能は操作できないように自動的に禁止設定を設定してもよい。この場合、リモコン３０、３２には設定項目が表示されなくなる。
【０１４４】
(4) 入浴お知らせ機能の初期設定はたとえば、「切」に設定される。また、リモコン３０、３２は熱源機２８側の設定に従い、「切」に設定される。初期設定に入浴お知らせ機能を「切」にすれば、入浴者が意図していないメロディ音の出力が防止される。
【０１４５】
＜制御部の機能＞
【０１４６】
既述のデータ１２８、１３０、１３２、１３６、１４０、１４２、１４４が用いられることで、熱源機２８の制御部４０では以下の機能が可能にされる。
【０１４７】
(1) ＥＥＰＲＯＭ設定モードで入浴お知らせ機能の許可または禁止の設定が行え、禁止設定の場合、入浴お知らせ機能による制御が行われない。
【０１４８】
(2) 入浴お知らせ機能が許可設定である時、ふろ自動完了後から配管洗浄動作開始まで、ふろの保温時間外を含め、浴槽２６の水位を監視する。
【０１４９】
(3) この水位監視は、リモコンにより設定される入浴お知らせ機能の「入」または「切」に関係なく行ってもよい。
【０１５０】
(4) 入浴お知らせ機能が「切」の場合、各タイマー８０、８２のカウントはリセットしてもよい。この場合、タイマー８０、８２のカウントに関し、リモコン３０、３２へのデータの送信は行う必要がない。
【０１５１】
(5) 入浴お知らせ機能が「入」で制御部４０が「入浴中」を検出した時に浴室リモコン３０および台所リモコン３２へ「入浴中」データ１３６の信号（「入浴中」信号）「１（ＯＮ）」が２転送送信（データの２回送信）されるとともに、タイマー８０、８２のカウントを開始する。
【０１５２】
(6) 入浴タイマー８０のカウントがタイマー設定による基準時間以上となった時に浴室リモコン３０および台所リモコン３２へお知らせ信号（「ＦＣお知らせ」データ１４０の信号および「ＭＣお知らせ」データ１４２の信号）「１（ＯＮ）」を２転送送信する。
【０１５３】
(7) 入浴タイマー８０のカウントがタイマー設定による基準時間を経過後、入浴なしを検出するまでたとえば５〔分〕経過毎にお知らせ信号が「０（ＯＦＦ）」から「１（ＯＮ）」に切り替えされて台所リモコン３２と浴室リモコン３０に２転送送信される。つまり、スヌーズ機能が設定される。
【０１５４】
(8) 入浴なしを検出した時、入浴タイマー８０のカウントを停止およびリセットし、お知らせ信号「０」を２転送送信する。
【０１５５】
＜リモコンの機能＞
【０１５６】
既述のデータ１２８、１３０、１３２、１３６、１４０、１４２、１４４が用いられることで、リモコンでは以下の機能が可能にされる。
【０１５７】
(1) 浴室リモコン３０にて入浴お知らせ機能の「入」および「切」が行える。
【０１５８】
(2) 入浴お知らせ機能に対応した熱源機２８の制御部４０に接続され、かつ入浴お知らせ機能が許可設定である場合に入浴お知らせ機能の操作を可能にする。
【０１５９】
(3) 入浴お知らせ機能の初期設定を「切」にすれば、入浴者が意図していないメロディ音の出力が防止される。
【０１６０】
(4) 入浴お知らせ機能の操作は浴室リモコン３０で操作可能に設定される。
【０１６１】
(5) 入浴お知らせタイマーの基準時間の初期値はたとえば３０〔分〕に設定される。この入浴お知らせタイマーの基準時間は、たとえば、５〜１２０〔分〕の範囲で５〔分〕単位の時間設定が可能である。
【０１６２】
(6) 入浴お知らせ機能「入」の時に、熱源機２８の制御部４０から受信するお知らせ信号「０」が「１」に変わると、浴室リモコン３０はお知らせメロディ音をたとえば３０〔秒〕間出力する。また、メロディ音の出力と同時に入浴時間表示を点滅表示に変更すれば、点滅表示によりお知らせ効果が高められる。
【０１６３】
(7) メロディ音の出力中に浴室リモコン３０でリモコン操作が行われると、メロディ音を停止し、「浴室リモコン操作あり」信号（「浴室リモコン操作あり」データ１３０の信号）「１（ＯＮ）」を制御部４０に２転送送信する。
【０１６４】
(8) メロディ音の音量設定は、「警告、呼び出し」と同じ音量に設定すればよい。図１９に示す音量設定表１４６の例では、「音声」、「ボタン音」および「警告、呼び出し、お知らせメロディ」に対し、設定「３（大）」、「２（中）」、「１（小）」、「０（無音声）」「−（消音）」が設定される。「警告、呼び出し、お知らせメロディ」では、設定「３（大）」に音量「３」が設定され、設定「２（中）」、「１（小）」、「０（無音声）」および「−（消音）」に対し、音量「２」が設定される。つまり、お知らせ機能のメロディ音では、「警告、呼び出し」と同様に、設定「１（小）」、「０（無音声）」および「−（消音）」であっても音量「２」のメロディ音が出力され、メロディ音による報知が行われる。
【０１６５】
＜入浴お知らせ機能設定＞
【０１６６】
入浴お知らせ機能はたとえば、浴室リモコン３０のスイッチ操作により設定される。メニューキー１０８が押下されると、浴室リモコン３０の表示部８には一例として図２０のＡに示すメインメニュー画面１４８が表示される。メインメニュー画面１４８には選択項目「入浴お知らせ」、「ふろ関連」および「基本設定」が表示される。上下キー１１０、１１２、１１４の操作により「入浴お知らせ」機能を選択し、決定キー１１６を押下すれば、操作音が出力されるとともに、一例として図２０のＢに示す入浴お知らせメニュー画面１５０に切り替わる。入浴お知らせメニュー画面１５０では、入浴お知らせ機能の設定が「入（ＯＮ）」であれば選択項目「お知らせ  切    （現在：入）」および選択項目「お知らせタイマー［      ］」がたとえばお知らせタイマーの設定時間「２７分」とともに表示される。また、お知らせ機能が「切（ＯＦＦ）」の時に選択項目「お知らせ  入    （現在：切）」および選択項目「お知らせタイマー［      ］」がお知らせタイマーの設定時間とともに表示される。
【０１６７】
選択項目「お知らせ  入    （現在：切）」が選択されれば、機能ＯＮの受付を表す受付音が出力され、表示部８には一例として図２１のＡに示すメッセージ画面１５２が表示され、入浴お知らせ機能を「入」にすることが表示される。このメッセージ画面１５２はたとえば２〔秒〕間表示され、メッセージ画面１５２の表示後、表示部８には給湯温度や時刻が表示されるトップ画面が表示されるとともに、浴室リモコン３０から制御部４０に「入浴お知らせ入／切」データ１２８の信号（「入浴お知らせ入／切」信号）「１」の２転送送信が行われる。
【０１６８】
お知らせ機能が「入」の時に選択項目「お知らせ  切    （現在：入）」が選択されれば、機能ＯＦＦの受付を表す受付音が出力され、表示部８には一例として図２１のＢに示すメッセージ画面１５４が表示され、入浴お知らせ機能を「切」にすることが表示される。このメッセージ画面１５４はたとえば２秒間表示され、メッセージ画面表示後、表示部８にはトップ画面が表示されるとともに、「入浴お知らせ入／切」信号「０」の２転送送信が行われる。
【０１６９】
＜お知らせタイマー設定＞
【０１７０】
入浴お知らせ機能はたとえば、浴室リモコン３０のスイッチ操作により設定される。入浴お知らせメニュー画面１５０で「お知らせタイマー」が選択されれば機能ＯＮの受付を表す受付音が出力され、一例として図２２に示す入浴お知らせタイマー設定画面１５６に切り替えられる。この設定画面１５６では、現在の設定時間を点滅表示して、ガイド音「上下ボタンで入力して、決定ボタンを押してください。」が２回出力される。
【０１７１】
入浴お知らせタイマー設定画面１５６では、長時間入浴の警告を発生させる基準時間の設定が行われる。上下キー１１０、１１２、１１４の上キーが押下されれば、押下毎に操作音の出力とともにタイマー設定がたとえば５〔分〕ずつ増加させる。タイマー設定が最高設定時間としてたとえば１２０〔分〕に達しているときに上キーが押下されれば、受付禁止音を出力する。また上下キー１１０、１１２、１１４の下キーが押下されれば、押下毎に操作音の出力とともにタイマー設定がたとえば５〔分〕ずつ減少させる。タイマー設定が５〔分〕に達しているときに下キーが押下されれば、受付禁止音を出力する。
【０１７２】
入浴お知らせタイマー設定画面１５６では、上下キー１１０、１１２、１１４の上キーまたは下キーが１〔秒〕以上長押しされれば、たとえば０．２５〔秒〕間隔でタイマー設定のオートリピートを行う。
【０１７３】
入浴お知らせタイマー設定画面１５６で決定キー１１６が押下されれば、浴室リモコン３０はお知らせメロディを出力するとともにたとえばガイド音「セットされました。」をたとえば２回出力し、タイマー設定の変更を確定し、トップ画面に切り替える。
【０１７４】
入浴お知らせタイマー設定画面１５６ではもどるキー１２２の押下により、操作音を出力し、図示しない基本設定メニューに切り替える。このとき、設定の変更は行わない。
【０１７５】
入浴お知らせタイマー設定画面１５６ではメニューキー１０８の押下により、操作音を出力し、トップ画面に切り替える。メニューキー１０８の押下の前に設定の変更操作があった場合、たとえばガイド音「セットされました。」をたとえば２回出力して変更を確定する。
【０１７６】
入浴お知らせ機能の設定モードに入った後、たとえば３０〔秒〕以上操作がない場合、またはキー操作があった後、たとえば１０〔秒〕以上操作がない場合、トップ画面に切り替える。変更操作があった場合、たとえばガイド音「セットされました。」をたとえば２回出力してトップ画面に切り替える。
【０１７７】
＜入浴中表示＞
【０１７８】
お知らせ機能が「入」の時、台所リモコン３２において、熱源機２８の制御部４０から「入浴中」信号「１」を受信すれば、台所リモコン３２の表示部８に、一例として図２３に示す入浴中表示画面１５８を表示する。この入浴中表示画面１５８では、トップ画面に入浴中表示１６０が表示される。
【０１７９】
ふろが保温中またはふろ動作中の場合、図２４のＡに示す入浴中表示画面１５８と図２４のＢに示すふろ動作表示画面１６２とをたとえば２〔秒〕毎に切り替えて表示すれば、入浴中表示１６０とふろ動作中を表すふろ動作表示１６３を交互に表示させ、入浴中であることおよびふろ動作中であることを表示することができる。
【０１８０】
台所リモコン３２が「入浴中」信号「１」を受信すれば、「入浴中」信号「０」を受信するまで画面の非表示を行う省電力モードを解除してもよい。省電力モードの解除により台所リモコン３２では表示が維持され、台所での入浴確認を容易に行うことができる。
【０１８１】
＜入浴経過時間表示＞
【０１８２】
入浴時間が基準時間以上となれば、浴室リモコン３０の表示部８には、お知らせメロディと同期させて、メロディ鳴動中に入浴経過時間（入浴時間）を表示する。この入浴経過時間の表示は、一例として図２５に示す入浴時間表示画面１６４のように、浴室リモコン３０の時計表示部１６６にたとえば点滅表示される。メロディ音が停止すれば、入浴経過時間の表示を時計表示に戻す。この入浴経過時間の表示により、入浴者による入浴時間の認識が可能になり、自己管理が不要になる。
【０１８３】
＜データ通信＞
【０１８４】
図２６は、入浴管理の一例を示すシーケンス図である。
【０１８５】
リモコン３０、３２側で入浴お知らせ機能を「入」にする設定操作が行われると（Ｓ７１）、「入浴お知らせ入／切」信号「１」の出力により入浴お知らせ機能ＯＮが制御部４０に送信される（Ｓ７２）。この送信により、入浴お知らせ機能が「入」になる。
【０１８６】
リモコン３０、３２側でふろ自動キー１０２が操作されると（Ｓ７３）、「自動」信号ＯＮが制御部４０に送信され（Ｓ７４）、自動湯張り動作が開始される（Ｓ７５）。自動湯張り動作が終了すると（Ｓ７６）、制御部４０は「保温」信号ＯＮをリモコン３０、３２に送信し（Ｓ７７）、リモコン３０、３２では沸き上りを示す音声が発声されるとともに「保温」が表示される（Ｓ７８）。この発声は、音声出力の一例である。
【０１８７】
自動湯張り動作が終了すれば（Ｓ７６）、制御部４０では入浴お知らせ機能が許可状態にされる（Ｓ７９）。
【０１８８】
制御部４０が入浴を検出すると（Ｓ８０）、既述の「入浴中」信号「１」により入浴ありがリモコン３０、３２に送信される（Ｓ８１）。この信号を受け、台所リモコン３２は入浴中表示を点灯させる（Ｓ８２）、つまり台所リモコン３２では、入浴中表示画面１５８に切り替えられる。
【０１８９】
制御部４０が、入浴お知らせタイマーの設定時間が経過したと判断すると（Ｓ８３）、既述の「ＦＣお知らせ」データ１４０および「ＭＣお知らせ」データ１４２により「設定時間経過」を表す信号「１」がリモコン３０、３２に送信される（Ｓ８４）。この信号を受け、浴室リモコン３２はメロディ音を発声させる（Ｓ８５）。
【０１９０】
制御部４０が、入浴お知らせタイマーの設定時間の経過から５〔分〕が経過したと判断すると（Ｓ８６）、「ＦＣお知らせ」データ１４０および「ＭＣお知らせ」データ１４２により「５分経過」を表す信号「１」がリモコン３０、３２に送信される（Ｓ８７）。この信号を受け、浴室リモコン３２はメロディ音を発声させる（Ｓ８８）。「５分経過」を表す信号の出力は、脱浴、つまり入浴終了と判断されるまで繰り返される（Ｓ８９、Ｓ９０、Ｓ９１）。
【０１９１】
制御部４０は、入浴者が脱浴したと判断すると（Ｓ９２）、「入浴中」信号「０」により「入浴なし」がリモコン３０、３２に送信される（Ｓ９３）。この信号を受け、台所リモコン３２は入浴中表示１６０を消灯させる（Ｓ９４）。
【０１９２】
制御部４０は浴槽２６の排水を判定すると（Ｓ９５）、入浴お知らせ機能を禁止状態に移行させる（Ｓ９６）。
【０１９３】
斯かるシーケンスによれば、台所リモコン３２では、入浴者が入浴中であることを表示させ、浴室リモコン３０では、設定時間の経過や５〔分〕経過を知らせるメロディ音を発声させることができる。
【０１９４】
＜入浴管理処理の概要＞
【０１９５】
図２７は、入浴管理処理の処理手順の概要の一例を示している。この処理手順は、本発明の入浴管理プログラムの一例である。
【０１９６】
この処理手順では、自動湯張り動作の終了後であるかが判定される（Ｓ１０１）。自動湯張り動作の終了後であれば（Ｓ１０１のＹＥＳ）、浴槽２６の水位が、測定可能水位以上かが判定される（Ｓ１０２）。測定可能水位以上であって（Ｓ１０２のＹＥＳ）、入浴なしであれば（Ｓ１０３のＹＥＳ）、Ｓ１０４に移行する。なお。自動湯張り終了後の初回の判定では、入浴なしと判定する。
【０１９７】
Ｓ１０１で自動湯張り動作の終了後でなければ（Ｓ１０１のＮＯ）、つまり自動湯張り動作が継続中または自動湯張り動作が行われていなければ、自動湯張り動作が終了するまでＳ１０１を繰り返す。また、Ｓ１０２で測定可能水位以上でなければ（Ｓ１０２のＮＯ）、Ｓ１０１に戻りＳ１０１およびＳ１０２を繰り返す。
【０１９８】
Ｓ１０４およびＳ１０５では、入浴の開始を判定する。水位上昇が検出され（Ｓ１０４のＹＥＳ）、上昇した水位が設定された入浴しきい値以上であれば（Ｓ１０５のＹＥＳ）、入浴状態であり、入浴が開始されたと判定し、台所リモコン３２において入浴中表示１６０を点灯し（Ｓ１０６）、Ｓ１０２に戻る。この入浴しきい値はたとえば、水量１６〔リットル〕に相当する水位（入浴前の水位の上方）に設定される。Ｓ１０４で水位上昇が検出されなければ（Ｓ１０４のＮＯ）、入浴状態ではなく、Ｓ１０２に戻る。また、Ｓ１０５で上昇した水位が設定された入浴しきい値未満であれば（Ｓ１０５のＮＯ）、入浴状態ではなく、Ｓ１０２に戻る。
【０１９９】
Ｓ１０３において入浴中であれば（Ｓ１０３のＮＯ）、Ｓ１０７に移行する。Ｓ１０７およびＳ１０８では、入浴の終了を判定する。水位低下が検出され（Ｓ１０７のＹＥＳ）、低下した水位が設定された脱浴しきい値未満であれば（Ｓ１０８のＹＥＳ）、入浴状態ではなく、入浴が終了したと判定し、台所リモコン３２において入浴中表示１６０を消灯し（Ｓ１０９）、Ｓ１０２に戻る。この脱浴しきい値はたとえば、水量１５〔リットル〕に相当する水位（入浴中の水位の下方）に設定される。Ｓ１０８で低下した水位が設定された脱浴しきい値未満でなければ（Ｓ１０８のＮＯ）、Ｓ１０２に戻る。
【０２００】
Ｓ１０７で水位低下が検出されなければ（Ｓ１０７のＮＯ）、入浴タイマー８０をカウントさせ（Ｓ１１０）、設定時間が経過すれば（Ｓ１１１のＹＥＳ）、浴室リモコン３０においてメロディ音を発声させ（Ｓ１１２）、Ｓ１０２に戻る。Ｓ１１１で設定時間内であれば（Ｓ１１１のＮＯ）、Ｓ１０２に戻る。
【０２０１】
斯かる処理手順によれば、入浴の開始および終了が水位検出により判定されるので、入浴中表示１６０の点灯または消灯により、入浴中か否かを知らせることができる。また、メロディ音の発声により入浴時間の経過を告知することができる。
【０２０２】
＜入浴表示処理＞
【０２０３】
図２８は、入浴表示処理の処理手順の一例を示している。この処理手順は、本発明の入浴管理プログラムの入浴表示処理の一例である。図２８および図２９において、符号ａ、符号ｂはフローチャート間の連結を表す連結子である。この処理手順では、「入浴中」信号の送信が行われる。
【０２０４】
この処理手順では、自動湯張り動作が完了すれば（Ｓ１２１のＹＥＳ）、入浴前水位の初期値をデータ記憶部９２に記憶し、「入浴中」信号をＯＦＦにする（Ｓ１２２）。
【０２０５】
循環ポンプ４２が停止中であり（Ｓ１２３のＹＥＳ）、浴槽２６に注湯中でなければ（Ｓ１２４のＹＥＳ）、浴槽２６の水位が基準水位＋上乗せ水位以上であるかを判定する（Ｓ１２５）。基準水位は、浴槽２６の水位監視のたとえば下限値である。上乗せ水位は基準水位に対して上乗せされた水量を示し、入浴者が入浴後、浴槽２６から出た時に水位が基準水位以下にならない程度の水量に相当する水位であればよくたとえば、水量１５〔リットル〕に相当する水位である。
【０２０６】
水位が基準水位＋上乗せ水位以上であれば（Ｓ１２５のＹＥＳ）、水位を監視する（Ｓ１２６）。つまり、Ｓ１２３およびＳ１２４により、循環ポンプ４２の動作中または注湯中は、水位監視が停止される。このＳ１２３およびＳ１２４はタイマー８０、８２の停止に利用してもよい。たとえば、タイマー８０、８２は循環ポンプ４２の動作中または注湯中に停止させる。
【０２０７】
水位監視（Ｓ１２６）では、水位のサンプリングが行われる。水位監視にはサンプリングにより得た取り込み水位の平均データが使用される。この平均データはたとえば、０．５〔秒〕毎に取り込まれた水位情報の５〔秒〕平均のデータを使用することができる。
【０２０８】
Ｓ１２１で、自動湯張り動作が完了していなければ、つまり自動湯張り動作が継続し、または自動湯張り動作が行われていなければ（Ｓ１２１のＮＯ）、Ｓ１２１を繰り返す。
【０２０９】
Ｓ１２３で循環ポンプ４２が動作中であれば（Ｓ１２３のＮＯ）、循環ポンプ４２が停止するまでＳ１２３を繰り返す。またＳ１２４で注湯中であれば（Ｓ１２４のＮＯ）、単位水量から算出される入浴前水位を更新し（Ｓ１２７）、Ｓ１２３に戻る。
【０２１０】
Ｓ１２５で水位が基準水位＋上乗せ水位未満であれば（Ｓ１２５のＮＯ）、「入浴中」信号ＯＦＦをリモコン３０、３２に送信し（Ｓ１２８）、Ｓ１２１に戻る。つまり、入浴者が入浴後、浴槽２６から出た時に水位が基準水位以下になる可能性があるので、水位監視を終了する。
【０２１１】
水位監視（Ｓ１２６）後、「入浴中」信号がＯＦＦであれば（Ｓ１２９のＹＥＳ）、Ｓ１３０に移行する。
【０２１２】
Ｓ１３０ないしＳ１３６は、「入浴中」信号がＯＦＦである場合、つまり、入浴中でない場合の処理手順である。Ｓ１３０、Ｓ１３１、Ｓ１３２では、入浴の開始が判定される。所定時間前水位から所定体積以上の体積上昇を検知済みであり（Ｓ１３０のＹＥＳ）、入浴前水位から所定上昇水位以上の水位上昇であり（Ｓ１３１のＹＥＳ）、入浴前水位から所定ＬＳＢ（Least significant bit）以上の水位上昇であれば（Ｓ１３２のＹＥＳ）、入浴状態であり入浴が開始されていると判定し、「入浴中」信号ＯＮをリモコン３０、３２に送信する（Ｓ１３３）。
【０２１３】
所定時間前水位は、たとえば１０〔秒〕前の水位に設定され、所定体積はたとえば１０〔リットル〕に設定される。つまり、Ｓ１３０では、体積を用いた判断であり、水位上昇とは異なり、浴槽２６の大きさによる影響を受けることがない。所定時間前水位および所定体積は、入浴者が動くことによる水位変化であると判断できる水位および体積であればよくたとえば、１〔分〕あたり６０〔リットル〕以上の水位変化を基準に設定される。
【０２１４】
所定上昇水位はたとえば、１６〔リットル〕に相当する水位に設定される。この水位変化は体重１５〔ｋｇ〕が湯に沈んでいる水位変化に相当し、たとえば、体重３０〔ｋｇ〕の入浴者が半分程度湯に沈めば、所定上昇水位以上の水位の上昇により入浴ありが検出される。
【０２１５】
所定ＬＳＢはたとえば、４ＬＳＢに設定される。このＬＳＢは、水位センサ６による水位の検出単位を表している。斯かる水位を設定すれば、温度特性による水位センサ６の出力の誤検出が抑制される。
【０２１６】
Ｓ１３０で所定時間前水位から所定体積以上の体積上昇を未検知であれば（Ｓ１３０のＮＯ）、Ｓ１３１で入浴前水位から所定上昇水位未満の水位上昇であれば（Ｓ１３１のＮＯ）、またはＳ１３２で入浴前水位から所定ＬＳＢ未満の水位上昇であれば（Ｓ１３２のＮＯ）、水位安定かを判定する（Ｓ１３４）。水位が安定し（Ｓ１３４のＹＥＳ）、脱浴を検出したときの水位よりも低ければ（Ｓ１３５のＹＥＳ）、入浴前水位を更新し（Ｓ１３６）、Ｓ１２３に戻る。また水位が不安定であれば（Ｓ１３４のＮＯ）、または脱浴を検出したときの水位よりも高ければ（Ｓ１３５のＮＯ）、Ｓ１２３に戻る。
【０２１７】
水位監視（Ｓ１２６）後、「入浴中」信号がＯＮであれば（Ｓ１２９のＮＯ）、Ｓ１３７に移行する。
【０２１８】
Ｓ１３７ないしＳ１４４は、「入浴中」信号がＯＮである場合、つまり、入浴状態である場合の処理手順である。Ｓ１３７、Ｓ１３８、Ｓ１３９では、入浴の終了が判定される。所定時間前水位から所定体積以上の体積降下を検知済みであり（Ｓ１３７のＹＥＳ）、入浴者が入浴した後の入浴後水位から所定下降水位以上の水位降下であり（Ｓ１３８のＹＥＳ）、入浴前水位との差が所定水量未満であれば（Ｓ１３９のＹＥＳ）、非入浴状態であり入浴は終了していると判定し、「入浴中」信号ＯＦＦをリモコン３０、３２に送信する（Ｓ１４０）。
【０２１９】
所定時間前水位は、たとえば１０〔秒〕前の水位に設定され、所定体積はたとえば１０〔リットル〕に設定される。Ｓ１３７はたとえばＳ１３０とは逆向きの検出、つまりＳ１３０では体積上昇の検出である一方、Ｓ１３７では、体積降下の検出、であればよい。
【０２２０】
所定下降水位はたとえば、１５〔リットル〕に相当する水位に設定される。Ｓ１３８はたとえばＳ１３１とは逆向きの検出、つまりＳ１３１では水位上昇の検出である一方、Ｓ１３８は水位下降の検出であればよいが、Ｓ１３１の所定上昇水位よりも小さい値の水位の設定により、入浴検出に対し、ヒステリシスを持たせている。
【０２２１】
所定水量はたとえば、２５〔リットル〕に設定される。
【０２２２】
Ｓ１３７で所定時間前水位から所定体積以上の体積降下を未検知であれば（Ｓ１３７のＮＯ）、またはＳ１３８で入浴後水位から所定下降水位未満の水位降下であれば（Ｓ１３８のＮＯ）、水位安定かを判定する（Ｓ１４１）。水位が安定し（Ｓ１４１のＹＥＳ）、入浴を検出したときの水位よりも高ければ（Ｓ１４２のＹＥＳ）、入浴後水位を更新する（Ｓ１４３）。
【０２２３】
Ｓ１３９で入浴前水位との差が所定水量以上であり（Ｓ１３９のＮＯ）、水位が入浴前水位以下に低下すれば（Ｓ１４４のＹＥＳ）、または入浴後水位の更新後に、水位が入浴前水位以下に低下すれば（Ｓ１４４のＹＥＳ）、非入浴状態であり入浴は終了していると判定し、「入浴中」信号ＯＦＦをリモコン３０、３２に送信する（Ｓ１４０）。Ｓ１４４を含むことで、入浴者がゆっくりとした動作で浴槽２６から出る場合など、Ｓ１３７、Ｓ１３８、Ｓ１３９では入浴の終了を検出できない場合であっても、入浴の終了を検出することができる。
【０２２４】
またＳ１４１で水位が不安定であれば（Ｓ１４１のＮＯ）、Ｓ１４２で入浴を検出したときの水位よりも低ければ（Ｓ１４２のＮＯ）、またはＳ１４４で水位が入浴前水位を超えていれば（Ｓ１４４のＮＯ）、Ｓ１２３に戻る。
【０２２５】
この処理手順によれば、複数の判定を組み合わせることで、入浴開始および入浴終了の判定の精度が高められる。つまり、入浴前水位および入浴後水位を更新するとともにこの入浴前水位、入浴後水位および所定時間前水位を用いた水位検出により、入浴開始および入浴終了の判定の精度が高められる。
【０２２６】
＜設定時間経過告知処理＞
【０２２７】
図３０は、設定時間経過告知処理の処理手順の一例を示している。この処理手順は、本発明の入浴管理プログラムの設定時間経過告知処理の一例である。この処理手順では、お知らせ信号の送信が行われる。
【０２２８】
この処理手順では、入浴お知らせタイマーの設定時間の設定変更、つまり「タイマー設定」データ１３２の設定変更であれば（Ｓ１５１のＹＥＳ）、設定時間を更新し（Ｓ１５２）、Ｓ１５３に移行し、設定時間の設定変更でなければ（Ｓ１５１のＮＯ）、Ｓ１５３に移行する。
【０２２９】
この処理手順では、浴槽２６の水位の監視中であり（Ｓ１５３のＹＥＳ）、「入浴中」信号ＯＮであれば（Ｓ１５４のＹＥＳ）、入浴タイマ−８０が、入浴お知らせタイマーの設定時間を経過したかを判定する（Ｓ１５５）。Ｓ１５３で水位の監視中でなければ（Ｓ１５３のＮＯ）、またはＳ１５４で「入浴中」信号ＯＦＦであれば（Ｓ１５４のＮＯ）、入浴タイマー８０およびスヌーズタイマー８２を０に戻し（タイマークリア）、お知らせ信号ＯＦＦを２転送送信し、初回送信を未状態にし（Ｓ１５９）、Ｓ１５１に戻る。
【０２３０】
Ｓ１５５で設定時間を経過していなければ（Ｓ１５５のＮＯ）、Ｓ１５１に戻り、Ｓ１５１ないしＳ１５５を繰り返す。
【０２３１】
設定時間を経過し（Ｓ１５５のＹＥＳ）、初回のお知らせ信号が未送信であれば（Ｓ１５６のＹＥＳ）、スヌーズタイマー８２を０に戻し（タイマークリア）（Ｓ１５７）、お知らせ信号ＯＮを２転送送信後、お知らせ信号ＯＦＦを２転送送信する（Ｓ１５８）。
【０２３２】
Ｓ１５６で、初回のお知らせ信号が送信済みであり（Ｓ１５６のＮＯ）、スヌーズタイマー≧スヌーズ設定時間であっても（Ｓ１６０のＮＯ）、Ｓ１５７およびＳ１５８を行う。スヌーズ設定時間はたとえば、５〔分〕に設定される。この処理により、入浴お知らせタイマーの設定時間経過後、お知らせ信号の送信がスヌーズ設定時間毎に送信される。つまり、入浴お知らせタイマーの設定時間経過のスヌーズが行われる。
【０２３３】
Ｓ１６０でスヌーズタイマー＜スヌーズ設定時間であれば（Ｓ１６０のＹＥＳ）、Ｓ１５１に戻る。
【０２３４】
＜入浴表示処理＞
【０２３５】
図３１は、入浴表示の処理手順の一例である。この処理手順は台所リモコン３２側に備えられるプロセッサで実行される。この処理手順は、本発明の入浴管理プログラムに含まれていてもよい。
【０２３６】
この処理手順では、台所リモコン３２が取得した「入浴中」信号がＯＮであれば（Ｓ１７１のＹＥＳ）、入浴中表示１６０を表示し（Ｓ１７２）、信号がＯＦＦであれば（Ｓ１７１のＮＯ）、入浴中表示１６０を非表示にする（Ｓ１７３）。
【０２３７】
斯かる処理手順によれば、「入浴中」信号に基づき入浴中表示１６０の表示制御が可能であり、入浴中であることを入浴者以外の者に知らせることができる。
【０２３８】
＜入浴時間経過の告知処理＞
【０２３９】
図３２は、入浴時間経過の告知の処理手順の一例である。この処理手順は浴室リモコン３０側に備えられるプロセッサで実行される。この処理手順は、本発明の入浴管理プログラムに含まれていてもよい。
【０２４０】
この処理手順では、制御部４０で「ＦＣお知らせ」信号（「ＦＣお知らせ」データ１４０の信号）がＯＦＦからＯＮに変更されれば（Ｓ１８１のＹＥＳ）、浴室リモコン３０に備えられるメロディ出力タイマーを０に戻し（タイマークリア）（Ｓ１８２）、メロディ音を出力し、入浴時間を表示する（Ｓ１８３）。操作部９８のスイッチ操作があれば（Ｓ１８４のＹＥＳ）、お知らせのメロディ音を停止するとともに入浴時間表示を非表示にし、メロディ出力タイマーを０に戻し（Ｓ１８５）、Ｓ１８１に戻る。
【０２４１】
Ｓ１８４でスイッチ操作がなければ（Ｓ１８４のＮＯ）、たとえば告知設定時間の経過が判定され、告知設定時間が経過していれば（Ｓ１８６のＹＥＳ）、Ｓ１８５に移行する。告知設定時間はメロディ音の出力時間および入浴時間の表示時間の設定値でありたとえば、３０〔秒〕に設定される。
【０２４２】
Ｓ１８６で告知設定時間内であれば（Ｓ１８６のＮＯ）、「入浴中」信号がＯＦＦであるかを判定し、信号ＯＦＦであれば（Ｓ１８７のＹＥＳ）、Ｓ１８５に移行する。
【０２４３】
Ｓ１８７で「入浴中」信号がＯＮであれば（Ｓ１８７のＮＯ）、Ｓ１８３に戻りＳ１８３ないしＳ１８７を繰り返す。
【０２４４】
Ｓ１８１で「ＦＣお知らせ」信号がＯＦＦである場合、ＯＮである場合、またはＯＮからＯＦＦに変更される場合（Ｓ１８１のＮＯ）、このＳ１８１が繰り返される。
【０２４５】
斯かる処理手順によれば、「ＦＣお知らせ」信号に基づき入浴時間経過時のメロディ音の出力および入浴時間の表示が可能である。また、このメロディ音の出力および入浴時間の表示は、所定時間の経過で停止されるが、所定時間経過前であっても、入浴者が脱浴すれば、つまり浴槽から出れば停止される。
【０２４６】
以上説明したように、浴槽２６への入浴状態を浴室外に設置してある台所リモコン３２に表示するとともに、入浴を検出すると、入浴タイマー８０のカウントを開始して、ユーザが設定した時間が経過すれば、浴室リモコン３２でメロディ音を発声する。メロディ音は、一定時間経過するか、浴槽２６から入浴者が出るまで発声する。入浴者が浴槽２６から出ない場合は、設定時間の経過以降たとえば５〔分〕毎にメロディ音を発声し、入浴者に浴槽から出ることが促される。なお発声は、メロディ音の発声に代えてガイダンス音の発声でもよく、メロディ音とガイダンス音を組み合わせた発声であってもよい。
【０２４７】
＜入浴検出の変形例＞
【０２４８】
上記実施例では水位センサ６が検出する水位の検出情報に基づき入浴中である否かを判定したが、たとえば浴室リモコン３０に搭載されるマイクにより入浴音を取得し、この入浴音情報により入浴中であるか否かを判定するようにしてもよい。また、浴室リモコン３０に既述の人体センサ１６を搭載し、人体検出情報により入浴中であるか否かを判定するようにしてもよい。この場合、浴室リモコン３０に設置される制御部に入浴お知らせ機能を追加すれば、浴室リモコン３０の処理で入浴時間の経過を知らせることができ、台所リモコン３２に向けて「入浴中」信号を出力することができる。
【０２４９】
＜入浴お知らせ機能設定の変形例＞
【０２５０】
上記実施例ではメインメニュー画面１４８で入浴お知らせ機能設定を行ったが、キーの長押しにより入浴お知らせ機能の「入」または「切」を行うようにしてもよい。
【０２５１】
たとえば、入浴お知らせ機能「切」の時、ふろ水位を下げるための下キーが３〔秒〕長押しされれば、「機能ＯＮ受付」音を出力し、図３３に示すお知らせ機能設定画面１６８のふろ温度設定を含む浴槽マーク１７０を０．５〔秒〕周期で２〔秒〕点滅表示をし、熱源機２８へ「入浴お知らせ入／切」信号「１」を２転送送信すればよい。表示の点滅は、たとえば４回点滅後、点灯表示に戻す。また、入浴お知らせ機能「入」の時、ふろ水位下げる下キーが３〔秒〕長押しされれば、「機能ＯＦＦ受付」音を出力し、浴槽マーク１７０を０．５〔秒〕周期で１〔秒〕点滅表示をし、熱源機２８へ「入浴お知らせ入／切」信号「０」を２転送送信すれば良い。表示の点滅は、たとえば２回点滅後、点灯表示に戻す。
【０２５２】
この変形例によれば、メインメニュー画面１４８や入浴お知らせメニュー画面１５０に切り替える必要がなく、設定操作が簡単になる。
【０２５３】
＜お知らせタイマー設定の変形例＞
【０２５４】
上記実施例では入浴お知らせタイマー設定画面１５６でお知らせタイマーの設定を行ったが、キーの長押しによりタイマーの設定を可能にしてもよい。
【０２５５】
たとえば、浴室リモコン３０に備えられる図示しない時刻設定キーと音量キーが同時押しされたら、「機能ＯＮ受付音」（ボタン音）を出力し、図３４に示す入浴お知らせタイマー設定画面１７２のように表示「ふろ」、浴槽マークおよびタイマーセグメントを含む表示１７４を表示するとともに時刻表示部１７６に現在の入浴お知らせタイマーの設定時間を点滅表示し、ガイド音「上下ボタンで入力してください。」が２回出力され、入浴お知らせタイマー変更モードとなる。タイマー変更モードでは、表示「ふろ」、浴槽マークおよびタイマーセグメント表示１７４以外は消灯させる。
【０２５６】
入浴お知らせタイマー変更モードの入浴お知らせタイマー設定画面１７２では、長時間入浴の警告を発生する時間の設定が行われる。上下キー１１０、１１２、１１４の上キーが押下されれば、押下毎に操作音の出力とともにタイマー設定を一段（たとえば５〔分〕）ずつ増加させる。タイマー設定が最高設定時間に達しているときに上キーが押下されれば、受付禁止音を出力する。また上下キーの下キーが押下されれば、押下毎に操作音の出力とともにタイマー設定をたとえば５〔分〕ずつ減少させる。タイマー設定が５〔分〕に達しているときに下キーが押下されれば、受付禁止音を出力する。
【０２５７】
入浴お知らせタイマー設定画面１７２では、上キーまたは下キーが１〔秒〕以上長押しされれば、たとえば０．５〔秒〕間隔で１０〔分〕単位のオートリピートを行う。
【０２５８】
入浴お知らせタイマー変更モード中に時刻設定キーが押下されれば、お知らせメロディを出力するとともにたとえばガイド音「セットされました。」をたとえば２回出力し、時刻の点灯表示に切り替え、入浴お知らせタイマー変更モードを終了する。
【０２５９】
入浴お知らせタイマー設定画面１７２ではもどるキー１２２の押下により、操作音を出力し、基本設定メニューに切り替える。このとき、設定の変更は行わない。
【０２６０】
入浴お知らせタイマー変更モード中、ふろ自動キー１０２、追いだきキー１０４、通話キー１０６、運転キー１００、時刻設定キーの操作が行われたら、入浴お知らせタイマー変更モードを終了する。
【０２６１】
上下キー１１０、１１２、１１４の押下がされないまま３０〔秒〕が経過したら、ガイド音「セットされました。」をたとえば２回出力してト入浴お知らせタイマー変更モードを終了する。
【０２６２】
入浴お知らせタイマー変更モード終了時、時間変更があった場合は、熱源機２８へ変更された「タイマー設定」データ１３２を２転送送信する。
【０２６３】
この変形例によれば、メニュー画面に切り替える必要がなく。設定操作が簡単になる。
【０２６４】
＜入浴中表示の変形例＞
【０２６５】
上記実施例では図２３に示す入浴中表示１６０を表示したが、たとえば、図３５のＡに示す入浴中表示画面１７４のように、時刻表示部１７６の５桁目の下半分のセグメント１７８を１〔秒〕間隔で図３５のＢに示すように時計回りに回転表示すれば、この表示の変化により、入浴者以外の者の注意を引き付けることができる。
【０２６６】
以上説明した実施の形態および実施例について、その特徴事項や変形例を以下に列挙する。
【０２６７】
(1) 上記実施の形態および実施例では、給湯器およびリモコン装置を例示したが、たとえば、スマートフォン、タブレット端末および浴室テレビジョンなどの電子装置であってもよい。この場合、これらの電子装置に既述の入浴管理プログラムを搭載すれば、これらの電子装置のマイクロフォン、カメラ、ディスプレイ、およびスピーカを用いて入浴を監視することができる。また、リモコン装置に代えてこれらの電子装置を表示手段または報知手段として用い、給湯器を組み合わせてもよい。この場合、給湯器および電子装置に備えられる通信部により給湯器と電子装置を接続する。この通信部により状態判定手段または入浴時間判定手段の判定結果を無線通信により出力すれば、電子装置に判定結果、告知情報またはアラートを出力させることができる。無線通信によれば、信号線により各装置を接続する必要がなく、また、別の家に暮らす家族や知人に入浴情報を通知することができる。
【０２６８】
(2) 上記実施例では、給湯暖房装置２４とリモコン３０、３２の接続に、通信インタフェース８６および通信線９６を用いたが、通信部を用いて無線通信により接続してもよい。無線通信によれば、信号線により各装置を接続する必要がなく、また、別の家に暮らす家族や知人に入浴情報を通知することができる。
【０２６９】
(3) 基準時間または入浴お知らせタイマーの設定時間は、複数の設定時間を設定してもよい。複数の設定時間を設定しておけば、時間の上げ下げを行うことなく設定時間の変更を簡単に行うことができる。また、複数の設定時間を時間情報と関連付け、午前中、夜間時間およびそれ以外の時間帯でそれぞれ異なる設定時間を設定できるようにしてもよい。斯かる例によれば、入浴時間に応じて設定時間の変更を行う煩わしさが軽減される。
【０２７０】
(4) 上記実施例では、入浴中であることを台所リモコン３２により台所に表示し、入浴時間が経過したことを浴室リモコン３０により浴室内に告知したが、たとえば、台所リモコン３２を用いて、入浴時間が経過したことを浴室外に告知してもよい。入浴者以外の者が入浴時間の経過を認識し、入浴者の入浴を確認する契機とすることができる。また、入浴時間の経過が浴室に告知されているにも関わらず入浴者が浴槽から出なければ、浴室を確認する契機とすることができる。入浴時間の経過を浴室と浴室外に告知する場合には、これらの告知は同時にされてもよく、浴室での告知から所定時間後に浴室外に告知するようにしてもよい。浴室外の告知のタイミングを遅らせれば、入浴者が告知に応じて浴槽から出る場合に、浴室外の告知を行うことを回避することができる。つまり、告知の自由度が高められる。
【０２７１】
以上説明したように、本発明の実施の形態等について説明したが、本発明は、上記記載に限定されるものではなく、特許請求の範囲に記載され、または明細書に開示された発明の要旨に基づき、当業者において様々な変形や変更が可能であることは勿論であり、斯かる変形や変更が、本発明の範囲に含まれることは言うまでもない。
【産業上の利用可能性】
【０２７２】
本発明は、入浴者の入浴時間などの管理を行うことができ、過度な入浴による安全性の低下を防止でき、各家庭で快適な入浴の実現に寄与することができる。
【符号の説明】
【０２７３】
２  電子装置
４、７６  プロセッサ
６  水位センサ
８  表示部
１０  報知部
１２  タイマー
１４  マイクロフォン
１６  人体センサ
２２  給湯追いだきシステム
２４  給湯暖房装置
２８  熱源機、
３０  浴室リモコン
３２  台所リモコン
４０  制御部
７８  メモリ
８０  入浴タイマー
８２  スヌーズタイマー
【図１】
2020106266.tif 000003
【図２】
2020106266.tif 000004
【図３】
2020106266.tif 000005
【図４】
2020106266.tif 000006
【図５】
2020106266.tif 000007
【図６】
2020106266.tif 000008
【図７】
2020106266.tif 000009
【図８】
2020106266.tif 000010
【図９】
2020106266.tif 000011
【図１０】
2020106266.tif 000012
【図１１】
2020106266.tif 000013
【図１２】
2020106266.tif 000014
【図１３】
2020106266.tif 000015
【図１４】
2020106266.tif 000016
【図１５】
2020106266.tif 000017
【図１６】
2020106266.tif 000018
【図１７】
2020106266.tif 000019
【図１８】
2020106266.tif 000020
【図１９】
2020106266.tif 000021
【図２０】
2020106266.tif 000022
【図２１】
2020106266.tif 000023
【図２２】
2020106266.tif 000024
【図２３】
2020106266.tif 000025
【図２４】
2020106266.tif 000026
【図２５】
2020106266.tif 000027
【図２６】
2020106266.tif 000028
【図２７】
2020106266.tif 000029
【図２８】
2020106266.tif 000030
【図２９】
2020106266.tif 000031
【図３０】
2020106266.tif 000032
【図３１】
2020106266.tif 000033
【図３２】
2020106266.tif 000034
【図３３】
2020106266.tif 000035
【図３４】
2020106266.tif 000036
【図３５】
2020106266.tif 000037